(57)【要約】【課題】被走査媒体に裏面露光を行う方式の画像形成装置において、その小型化、簡素化、低コスト化、調整の容易化を図る。【解決手段】被走査媒体１００はローラ２とローラ３によって長円形に張架され、内部に光走査モジュール１３を２つ装備している。２つの光走査モジュール１３は各々、レーザ光源ユニット２１、シリンドリカルレンズ２２、光偏向装置としてのポリゴンミラー１４、ｆθレンズ１５を所定の位置に支持し、光学箱に収められている。被走査媒体１００の被走査面１００ａは、主走査領域を複数（ここでは２つ）に分割されてラスタ走査される。被走査面１００ａに一番近い光学素子である短冊形の反射鏡１６は２つの光走査モジュール１３により共用されており、２つの光走査モジュール１３からの２つの走査ビームは１つの反射面で折り返されている。【選択図】図１
2007230181.tif 000002
【特許請求の範囲】
【請求項１】
光源と、光偏向装置と、前記光源から射出されるビームを集光する光学系と、を具備した光走査モジュールと、前記光走査モジュールにより走査される円環状の被走査媒体と、を備えた画像形成装置において、
前記光走査モジュールを前記被走査媒体の内部に複数具備し、主走査領域を複数に分割して走査することを特徴とする画像形成装置。
【請求項２】
光源と、光偏向装置と、前記光源から射出されるビームを集光する光学系と、を具備した光走査モジュールと、前記光走査モジュールにより走査される円環状の被走査媒体と、前記被走査媒体に形成された像を転写される被転写媒体と、を備えた画像形成装置において、
前記光走査モジュールを複数具備し、前記被走査媒体の前記転写を行う面の反対側において主走査領域を複数に分割して走査することを特徴とする画像形成装置。
【請求項３】
請求項１又は２に記載の画像形成装置において、
前記光偏向装置が振動ミラーであることを特徴とする画像形成装置。
【請求項４】
請求項１又は２に記載の画像形成装置において、
前記被走査媒体が円筒体であることを特徴とする画像形成装置。
【請求項５】
請求項１又は２に記載の画像形成装置において、
前記被走査媒体がフィルム状のベルトであることを特徴とする画像形成装置。
【請求項６】
請求項４又は５に記載の画像形成装置において、
前記光走査モジュールが画像信号に応じた熱像を前記被走査媒体に発生させ、前記被走査媒体が熱により粘着力が増加する顕色剤を担持する顕色剤担持体であることを特徴とする画像形成装置。
【請求項７】
請求項１又は２に記載の画像形成装置において、
前記複数の光走査モジュールが一体的に支持されて１つの光走査装置として構成され、該光走査装置が前記被走査媒体の開口方向に着脱可能であることを特徴とする画像形成装置。
【請求項８】
請求項１乃至７のうちのいずれかに記載の画像形成装置において、
前記複数の光走査モジュールと前記被走査媒体の間に少なくとも１つの反射鏡を具備し、該反射鏡を前記複数の光走査モジュールが共用することを特徴とする画像形成装置。
【請求項９】
請求項１乃至８のいずれかに記載の画像形成装置において、
複数の被走査媒体が並置され、それぞれ異なる顕色剤で可視像化された各被走査媒体上の画像を重ね合わせてカラー画像を形成することを特徴とする画像形成装置。
【請求項１０】
請求項１乃至８のいずれかに記載の画像形成装置において、
複数の色の顕色剤による画像を一つの被走査媒体上に重ね合わせてカラー画像を形成することを特徴とする画像形成装置。
【請求項１１】
請求項７に記載の構成を有する光走査装置。
【発明の詳細な説明】
【技術分野】
【０００１】
本発明は、レーザ書込みによる像形成を行う複写機、プリンタ、ファクシミリ、プロッタ等の画像形成装置、該画像形成装置に用いられる光走査装置に関する。
本発明は、光走査によって熱像を形成する像形成装置などに応用することができる。
【背景技術】
【０００２】
従来、コピー機、レーザプリンタといった電子写真方式を用いた画像形成装置において、装置のコンパクト化や画像形成プロセスの容易化を図るために感光体の裏面より露光する裏面露光方式が提案されてきている。
特許文献１や特許文献２には、裏面露光によって画像形成の容易性を向上させたり、画像形成装置の外形の自由化を図る技術が開示されている。特許文献３では、円筒状の感光体ドラムの内側から裏面露光させ、効率よく転写して記録することが可能な画像形成装置が提案されている。
特許文献４では、電子写真プロセスの設計自由度の向上や画像形成装置の小型化を目的として、ベルト状の感光体を２つのローラによって長円形に張架・駆動し、ローラの配置されている感光体の内側から効率的に露光することが提案されている。
【０００３】
電子写真プロセスのカラー画像形成装置では、近年の高速化に伴い、特許文献５に開示されているように、４連タンデム型配置に代表されるような複数の像担持体に走査光を入射するものが提案され、商品化されてきている。
裏面露光を用いるカラー画像形成装置としては、特許文献６に開示された画像形成装置が知られており、組み立て時や、保守・交換等のメンテナンス操作の際に、像形成体の内部に設けた像露光手段の配置や点灯状態を目視で確認することができ、且つ、焦点ボケが無く良好な潜像が形成されるカラー画像形成装置の提供を目的としている。
【０００４】
一方、非電子写真方式としては、特許文献７に開示された画像形成装置が知られている。この画像形成装置では、顕色剤担持体の裏面側から画像信号に応じた熱像を与えて顕色剤担持体に顕色剤画像を仮固着するという顕色剤画像仮固着手段を有し、電子写真方式の複写機やレーザプリンタにおける感光体特性の劣化や高電圧発生装置に関する問題点、インクジェット方式プリンタの画像形成速度の低さ、孔版印刷装置における煩雑さや解像力の問題点などの解決を目的としている。
近年、特許文献８に開示されているように、光偏向装置として簡素で小型な振動ミラーをＭＥＭＳ（Ｍｉｃｒｏ  Ｅｌｅｃｔｒｏ  Ｍｅｃｈａｎｉｃａｌ  Ｓｙｓｔｅｍ）技術により製作し、小型の光走査モジュールを実現するという開発がなされており、そのような小型の光走査モジュールの有効な活用方法が求められている。
【０００５】
【特許文献１】特開昭５８−１０７５５４号公報
【特許文献２】特開昭６１−２２８４７１号公報
【特許文献３】特開平６−１４８９８５号公報
【特許文献４】特開平６−２３６０５８号公報
【特許文献５】特許第２７２５０６７号公報
【特許文献６】特開平８−２７８６３９号公報
【特許文献７】特開平１１−９１１４７号公報
【特許文献８】特開２００２−２０７１８７号公報
【発明の開示】
【発明が解決しようとする課題】
【０００６】
図７に、特許文献７に開示された画像形成装置の一例を示す。符号１はフィルム状の無端の顕色剤担持体を示す。顕色剤担持体１は、ローラ２と３との間に掛け渡わたされており、ローラ２がモータなどの駆動手段により矢印の向きに回転駆動されることにより、矢印ａの向きに移動する。
顕色剤担持体１は、少なくとも長波長域の光を通す光透過性樹脂フィルムである。顕色剤担持体１の下面１ａには、顕色剤供給装置５により熱溶融性の顕色剤４が供給される。顕色剤供給装置５は、顕色剤４を収容するケース６、顕色剤担持体１に顕色剤４を供給する顕色剤供給ローラ７、顕色剤供給ローラ７にケース６内の顕色剤を補給する補給ローラ８、顕色剤供給ローラ７上の顕色剤の層厚を均一化するブレード９から主に構成される。
各ローラ７、８は、それぞれ矢印の向きに回転駆動される。顕色剤供給装置５内には、周面にクリーニングブレード１１の先端縁を当接させた顕色剤除去手段としての顕色剤除去ローラ１２が配置されている。
【０００７】
顕色剤４は、黒色顕色剤の場合、カーボン粒子と熱溶融性の樹脂からなるトナーであって、顕色剤供給ローラ７の周面に静電気力とファンデンワールス力のうちいずれか一方又は双方の力で付着する。ローラ７の周面とローラ８の周面とに速度を与えることにより、顕色剤を顕色剤供給ローラ７に静電的に吸着させるために、顕色剤を帯電させることができる。顕色剤として電子写真複写機の分野で周知の磁性キャリアとトナーとからなる二成分現像剤を用いるときは、顕色剤供給ローラに磁石を内蔵したスリーブを使用して、磁気ブラシを形成する。
顕色剤除去ローラ１２には、正の電圧が、そしてブレード９には負の電圧がそれぞれ印加されている。顕色剤除去ローラ１２とブレード９への印加電圧の極性は、互いに反対であればよい。
顕色剤担持体１の、顕色剤供給ローラ７により顕色剤が供給される顕色剤受領部の裏面側には、顕色剤画像を顕色剤担持体１に仮固着する熱像が、顕色剤画像仮固着手段としての光走査モジュール１３により照射される。
【０００８】
光走査モジュール１３は、レーザ光源、コリメータレンズ（共に図示されず）ポリゴンモータ１４、ｆθレンズ１５、顕色剤担持体１の幅と略同じ長さの短冊形反射鏡１６で主に構成されており、顕色剤担持体１を介して顕色剤供給ローラ７上の顕色剤に画像信号に応じた熱像をレーザ光Ｌで与える。
ローラ２には、顕色剤担持体１を介して熱溶着転写手段としての熱ローラ１７が接離自在に対向して配置されており、この熱ローラ１７は、これとローラ２との間に記録材１８がレジストローラ対１９によって送り込まれたときに、顕色剤担持体１を介してローラ２に圧接するようになっている。
ローラ３の近傍には、クリーニングローラ２１を、ローラ３に顕色剤担持体１を介して当接させたクリーニング装置２２が配置されている。クリーニングローラ２１にはブレード２３が当接している。記録すべき原稿の画像信号に応じた熱像が光走査モジュール１３からのレーザ光により、顕色剤担持体１を介して顕色剤供給ローラ７上の顕色剤に照射される。
【０００９】
顕色剤供給ローラ７上の顕色剤は、ブレード９で与えられた電荷により顕色剤供給ローラ７に静電気力で付着している。顕色剤供給ローラ７上の顕色剤に与えられる熱像の熱エネルギーは、顕色剤担持体１の表面に顕色剤が弱い粘着力で付着する程度に、顕色剤の顕色剤担持体１との接触部２４を溶融する強さであり、熱像を受けた顕色剤は、その顕色剤担持体１に接した部分が昇温して溶融し、顕色剤担持体１に顕色剤画像２５として仮固着する。
この仮固着による顕色剤画像の顕色剤担持体１への付着力は、顕色剤と顕色剤供給ローラ７との静電気力による付着力よりも強く、後述の顕色剤画像の記録材への熱定着による付着力よりも常に弱く、かつ、定着後に行われる顕色剤担持体１のクリーニングによって顕色剤担持体１上の残留顕色剤が容易に除去される値に定められる。
【００１０】
仮固着によって顕色剤担持体１に顕色剤画像を形成する顕色剤画像仮固着工程後における顕色剤担持体１の非画像部の顕色剤は、ブレード９の印加電圧とは逆極性の電圧を印加された顕色剤除去ローラ１２の吸引作用で取り除かれる。
顕色剤除去ローラ１２の、顕色剤画像を形成する顕色剤に対する吸引力は、顕色剤の顕色剤担持体１に対する仮固着力よりも弱く定められる。
顕色剤担持体１の非画像部をクリーニングする顕色剤除去工程後の顕色剤担持体１に顕色剤画像は、熱ローラ１７により記録材１８に熱溶着により転写され定着される。記録材１８は、給紙装置（図示されず）から給紙されレジストローラ対１９によって顕色剤担持体１の画像部と同期的に熱ローラ１７に送り込まれ、その裏側から加熱されることにより顕色剤画像を転写定着される。
顕色剤画像を転写定着された熱溶着転写工程後の顕色剤担持体１は、クリーニングローラ２１によりクリーニングされ一連の記録工程を終え、顕色剤画像仮固着工程から始まる次の記録工程に備える。クリーニングローラ２１上の顕色剤を含む塵埃はブレード２３で掻き落とされる。
この装置における光走査モジュール１３はポリゴンミラー１４を用いた小型なものが円環状の顕色剤担持体１の内部に設置され、顕色剤供給装置５に対向する側からレーザ光を照射している。
【００１１】
しかしながら、照射位置におけるレーザ光のスポット径を一定の小ささで主走査方向に均一に照射しようとすると、ｆθレンズ１５に加えて長尺レンズが必要になり、光走査モジュール１３の小型化が難しい。また顕色剤担持体１の幅に対応した主走査領域を確保しようとするとポリゴンミラー１４からレーザ光照射位置までの光路長が長くなるので、短冊形反射鏡を増やして何回も光路を折り曲げるといった小型化対応が必要になるが、反射鏡の配置に際しレンズの大きさやその配置位置が優先されるなどの制約が多く、容易に小型化することが困難である。
また、反射鏡を多く使用すると走査線曲がりなどが発生し、光学性能に悪影響を与え、調整なども煩雑になるしコストも余計にかかる。
【００１２】
本発明は、被走査媒体に裏面露光を行う方式の画像形成装置において、その小型化、簡素化、低コスト化、調整の容易化を図ることを目的とする。
【課題を解決するための手段】
【００１３】
上記目的を達成するために、請求項１記載の発明では、光源と、光偏向装置と、前記光源から射出されるビームを集光する光学系と、を具備した光走査モジュールと、前記光走査モジュールにより走査される円環状の被走査媒体と、を備えた画像形成装置において、前記光走査モジュールを前記被走査媒体の内部に複数具備し、主走査領域を複数に分割して走査することを特徴とする。
【００１４】
請求項２に記載の発明では、光源と、光偏向装置と、前記光源から射出されるビームを集光する光学系と、を具備した光走査モジュールと、前記光走査モジュールにより走査される円環状の被走査媒体と、前記被走査媒体に形成された像を転写される被転写媒体と、を備えた画像形成装置において、前記光走査モジュールを複数具備し、前記被走査媒体の前記転写を行う面の反対側において主走査領域を複数に分割して走査することを特徴とする。
【００１５】
請求項３に記載の発明では、請求項１又は２に記載の画像形成装置において、前記光偏向装置が振動ミラーであることを特徴とする。
請求項４に記載の発明では、請求項１又は２に記載の画像形成装置において、前記被走査媒体が円筒体であることを特徴とする。
請求項５に記載の発明では、請求項１又は２に記載の画像形成装置において、前記被走査媒体がフィルム状のベルトであることを特徴とする。
請求項６に記載の発明では、請求項４又は５に記載の画像形成装置において、前記光走査モジュールが画像信号に応じた熱像を前記被走査媒体に発生させ、前記被走査媒体が熱により粘着力が増加する顕色剤を担持する顕色剤担持体であることを特徴とする。
【００１６】
請求項７に記載の発明では、請求項１又は２に記載の画像形成装置において、前記複数の光走査モジュールが一体的に支持されて１つの光走査装置として構成され、該光走査装置が前記被走査媒体の開口方向に着脱可能であることを特徴とする。
請求項８に記載の発明では、請求項１乃至７のうちのいずれかに記載の画像形成装置において、前記複数の光走査モジュールと前記被走査媒体の間に少なくとも１つの反射鏡を具備し、該反射鏡を前記複数の光走査モジュールが共用することを特徴とする。
請求項９に記載の発明では、請求項１乃至８のいずれかに記載の画像形成装置において、複数の被走査媒体が並置され、それぞれ異なる顕色剤で可視像化された各被走査媒体上の画像を重ね合わせてカラー画像を形成することを特徴とする。
請求項１０に記載の発明では、請求項１乃至８のいずれかに記載の画像形成装置において、複数の色の顕色剤による画像を一つの被走査媒体上に重ね合わせてカラー画像を形成することを特徴とする。
請求項１１に記載の発明では、光走査装置において、請求項７に記載の構成を有することを特徴とする。
【発明の効果】
【００１７】
請求項１又は２に記載の発明によれば、光路長を短くできるので容易にコンパクトな構成にできる。小型化のために複数の短冊形反射鏡を用いたりする必要がないので走査線曲がりなどが発生しづらく、光学性能への悪影響が少ないため、調整の手間が少なくなり、部品費および調整コストを低くできる。
請求項３に記載の発明によれば、光偏向装置が振動ミラーであるので、ポリゴンミラーを光偏向装置に用いた場合に比べ、光走査モジュールの簡素化、小型化、低コスト化、および低騒音化、発熱量低減が図れる。
請求項４に記載の発明によれば、被走査媒体が円筒であるので、被走査媒体の駆動が行いやすく、像形成面の速度が均一で高精度な画像が形成できる。また、被走査媒体の材質には従来から普及しているアクリル製の円筒などが使用できるため、調達が容易で低コストな作像装置を提供できる。
【００１８】
請求項５に記載の発明によれば、被走査媒体がフィルム状のベルトであるので、被走査媒体をローラによって非円形に張架・駆動でき、ローラの配置されている被走査媒体の内側にスペース効率よく光走査モジュールを配置できる。また設計自由度が高く、作像装置を適切な形状にできるため、画像形成装置の小型化が図れる。また、露光と像形成、像転写が一直線上で行えるため、カラー化が容易に行える。
請求項６に記載の発明によれば、光走査モジュールが画像信号に応じた熱像を被走査媒体に発生させ、被走査媒体が熱により粘着力が増加する顕色剤を担持する顕色剤担持体である非電子写真方式の作像方法なので、電子写真方式の複写機やレーザプリンタにおける感光体特性の劣化や高電圧発生装置に関する問題点、インクジェット方式プリンタの画像形成速度の低さ、孔版印刷装置における煩雑さや解像力の問題点などを解決できる。
【００１９】
請求項７又は１１に記載の発明によれば、組立てが容易で、市場でのメンタナンス性も高い。また、光走査装置単体で主走査領域を複数に分割していることで、必要となる各光モジュール間の主走査や副走査方向の位置調整も被走査媒体への組付けの前にあらかじめ行える。そのため、主走査領域の光学性能を光走査装置としてユニット保証でき、工程の合理化や低コスト化が図れる。
請求項８に記載の発明によれば、複数の光走査モジュールと被走査媒体の間に配置された短冊形反射鏡を複数の光走査モジュールが共用するので、走査線曲がりのばらつきなどが発生しづらく、光学性能への悪影響が少ないため、調整の手間が少なくなり、部品費および調整コストが低くできる。また、光走査モジュールの外部に反射鏡を設置することで光走査モジュールを小型化できる。
【００２０】
請求項９に記載の発明によれば、高速なカラー画像形成が可能となる。
請求項１０に記載の発明によれば、単純、安価でコンパクトな構成でありながら高速なカラー画像形成が可能となる。
【発明を実施するための最良の形態】
【００２１】
以下、本発明の第１の実施形態を図１に基づいて説明する。なお、図７で示した従来例と同一部分は同一符号で示し、特に必要でない限り既にした構成上及び機能上の説明はできるだけ省略する（以下の他の実施形態において同じ）。
被走査媒体１００はローラ２とローラ３によって長円形に張架され、内部に光走査モジュール１３（二点鎖線で示す）を２つ装備している。レーザ光源とコリメータレンズはアパーチャやレーザ駆動回路などと共にレーザ光源ユニット２１として小ユニット化されている。
２つの光走査モジュール１３は各々、従来例同様にレーザ光源ユニット２１、シリンドリカルレンズ２２、光偏向装置としてのポリゴンミラー１４、ｆθレンズ１５を所定の位置に支持し防塵、防音の機能を持つ光学箱に収められて構成される。
【００２２】
被走査媒体１００の内面である被走査面１００ａは、主走査領域を複数（ここでは２つ）に分割されてラスタ走査される。被走査面１００ａに一番近い光学素子である短冊形の反射鏡１６は２つの光走査モジュール１３により共用されており、２つの光走査モジュール１３からの２つの走査ビームは１つの反射面で折り返されている。
光走査により被走査媒体１００に電気的、磁気的、化学的、または熱的な変化が生じ、被走査媒体１００が副走査方向に移動することで二次元像を被走査面に形成する。
この例では矢印方向にローラを回転させ、平面状の被走査面を紙面左から右に直線移動させている。この二次元像が被走査媒体１００の外側に設置した図示しない被転写媒体に転写され、作像される。被転写媒体は電子写真方式の中間転写ベルトの場合もあるし、図７の例のように記録材１８である場合もある。
【００２３】
本構成では、分割走査方式による短い光路長の効果で作像装置を容易にコンパクトな構成にできる。そして小型化のために複数の短冊形反射鏡を用いたりする必要がないので走査線曲がりなどが発生しづらく、光学性能への悪影響が少ないため、調整の手間が少なくなり、部品費および調整コストを低くできる。
また、短冊形反射鏡を複数の光走査モジュール１３が共用するので、走査線曲がりのばらつきなどが発生しづらく、光学性能への悪影響が少ないため、調整の手間が少なくなり、更に部品費および調整コストを低くできる。また、光走査モジュール１３の外部に反射鏡１６を設置することで光走査モジュール１３を小型化できる。
【００２４】
図２に第２の実施形態を示す。
第１の実施形態との違いは、ポリゴンミラー１４とｆθレンズ１５を、振動ミラー２４と走査レンズ２５に置き換えていることである。この走査レンズ２５はｆθレンズ１５の持つ等角速度−等速度性に対し、等振動数−等速度性を持つような、例えばｆ−ａｒｃｓｉｎθレンズが用いられる。
本実施形態では光偏向装置が振動ミラー２４であるので、ポリゴンミラーを光偏向装置に用いた場合に比べ、光走査モジュールの簡素化、小型化、低コスト化、および低騒音化、発熱量低減が図れる。
振動ミラー２４としては、例えば特許文献８に記載の構成を用いることができる。
【００２５】
図３に第３の実施形態を示す。
円筒形の被走査媒体１００の内部に３つの振動ミラーモジュール２６と、１つの走査レンズアレイ２７が配置されている。振動ミラーモジュール２６は振動ミラー２４、振動ミラー駆動手段、電極、光検知基板、アパーチャなどを一体にモジュール化したものである。
本実施形態では、１つの振動ミラーモジュール２６と、これに対応した走査レンズアレイ２７の部分と、１つの振動ミラーモジュール２６に対応する図示しない光源により１つの光走査モジュールが構成され、３つの光走査モジュールが存在する。
本実施形態では被走査媒体１００が円筒形なので駆動が行いやすく、像形成面の速度が均一で高精度な画像が形成できる。また、被走査媒体１００の素管の材質には従来から普及しているアクリル製の円筒などが使用できるため、調達が容易で低コストな作像装置を提供できる。
【００２６】
図４に第４の実施形態を示す。
図３で示した第３の実施形態との違いは、３つの振動ミラーモジュール２６と１つの走査レンズアレイ２７が光走査装置２８として一体化され、被走査媒体１００内部に支持され、かつ容易に被走査媒体１００の開口部から着脱できるようになっていることである。
本実施形態では組み立て工程内での光走査装置２８の組付けや調整が容易で、市場での光走査装置２８の交換も容易なのでメンテナンス性も高い。また、光走査装置２８単体で主走査領域を複数に分割していることで、必要となる各光走査モジュール間の主走査方向や副走査方向の位置調整も被走査媒体への組付けの前に予め行える。
そのため、主走査領域の光学性能を光走査装置２８としてユニット保証でき、工程の合理化や低コスト化を図れる。
【００２７】
本発明のカラー画像形成装置への応用として、タンデム型カラー画像形成装置への適用が考えられる。複数の色の顕色剤を対応する同数の被走査媒体上に担持し、複数の被走査媒体が並置されて複数の色の顕色剤を重ね合わせてカラー画像を形成するタンデム型カラー画像形成装置では、色の数に応じた複数の場所へ光走査する必要があるが、本発明では光走査を裏面露光によって行い、かつ短い光路長の効果で作像装置を容易にコンパクトな構成にできる。
【００２８】
図５に第５の実施形態（電子写真方式のタンデム型画像形成装置への適用例）を示す。イエロー、マセンタ、シアン、ブラックの各色のトナー像を形成する４つの被走査媒体１００が並列に並んでいる。
光走査装置２８の被走査媒体回転方向上流に設置された帯電装置３０により被走査媒体１００は走査領域の全面が帯電される。光走査装置２８からの光走査によって静電潜像が被走査媒体１００に形成され、現像装置３１によってトナー像として顕像化される。
トナー像は４色が被転写媒体１０１上に重ね合わせられるように１次転写され、カラー画像を形成する。転写に際し発生した残トナーはクリーニング装置３２によって掻き落とされ、最後は徐電装置３３によって電気的にも平滑化される。
被走査媒体１００の１次転写を行う面の反対側において光走査装置２８による主走査領域を複数に分割した走査がなされる。
【００２９】
記録材１８には一般にカット紙が使用され、給紙トレイ４０上にスタックされている。カット紙は画像形成のタイミングに合わせ、給紙装置４１にて分離、搬送され、２次転写部にてカラー画像が転写される。その後定着装置４２によって熱と圧力によってトナーが溶融し、記録材１８上にカラー画像が定着され、画像形成装置から排出される。２次転写に際し発生した残トナーは被転写媒体１０１に対して設置されたクリーニング装置３９によって掻き落とされる。
図５において、符号３４、３５、３６は被転写媒体１０１を張架・支持するローラ、３７は１次転写手段、３８は２次転写手段をそれぞれ示している。
【００３０】
また、裏面露光を用いるカラー画像形成装置としては特許文献６に記載のものと同様な構成で、複数の色の顕色剤を１つの被走査媒体上に担持し、複数の色の顕色剤を重ね合わせてカラー画像を形成するカラー画像形成装置において、本発明を適用すれば短い光路長の効果で作像装置を容易にコンパクトな構成にできる。
【００３１】
図６に第６の実施形態（１つの被走査媒体でカラー画像を形成する方式の画像形成装置への適用例）を示す。
本実施形態では、図７で示した従来例における被走査媒体としての顕色剤担持体１の内部に光走査装置２８が４つ装備され、イエロー、マセンタ、シアン、ブラックの各色に対応している。同様に顕色剤供給装置５も４つ装備されている。
このように単純、安価でコンパクトな構成でありながら高速なカラー画像形成が可能となる。
【図面の簡単な説明】
【００３２】
【図１】本発明の第１の実施形態に係る画像形成装置の要部を示す一部省略の斜視図である。
【図２】第２の実施形態に係る画像形成装置の要部を示す一部省略の斜視図である。
【図３】第３の実施形態に係る画像形成装置の要部を示す一部省略の斜視図である。
【図４】第４の実施形態に係る画像形成装置の要部を示す一部省略の斜視図で、光走査装置を被走査媒体の軸方向に引き出した状態を示す図である。
【図５】第５の実施形態に係るタンデム型の画像形成装置の概要正面図である。
【図６】第６の実施形態に係る画像形成装置の要部正面図である。
【図７】従来の裏面露光方式の画像形成装置の概要正面図である。
【符号の説明】
【００３３】
１３  光走査モジュール
１４  光偏向装置としてのポリゴンミラー
１５  光学系としてのｆθレンズ
１６  反射鏡
２４  振動ミラー
２８  光走査装置
１００  被走査媒体
１０１  被転写媒体
【図１】
2007230181.tif 000003
【図２】
2007230181.tif 000004
【図３】
2007230181.tif 000005
【図４】
2007230181.tif 000006
【図５】
2007230181.tif 000007
【図６】
2007230181.tif 000008
【図７】
2007230181.tif 000009